(57)【要約】【課題】  信号伝送用ケーブルを不要にして直接、パソコン（ＰＣ）側等に設けられたＵＳＢコネクタ、ＩＥＥＥ１３９４コネクタ等に挿着可能にする。【解決手段】  プラグ付き電子機器は、フレーム１０と、プラグ取り付け部２３と、電子回路用プラグ５０が装着されたプラグ装着部材３０と、電子機器部品６０とを備えている。フレーム１０には、部品収納空間１２を有するフレーム本体１１の一側壁１１ｂから外方向に、プラグ取り付け部１６が突設されている。部品収納空間１２には、電子機器部品６０が収納される。プラグ取り付け部２３は、プラグ取り付け部１６と対向するようにフレーム本体１１の一側壁１１ｂから外方向に着脱自在に突設されている。プラグ５０が装着されたプラグ装着部材３０は、一端が、プラグ取り付け部１６，２３間に、所定の回転角度毎に係止可能に軸着され、他端が、プラグ取り付け部１６，２３間に、開閉自在に収容される。【選択図】    図１
2005217190.tif 000002
【特許請求の範囲】
【請求項１】
電子機器部品収納用の部品収納空間を有するフレーム本体の一側壁から外方向に、板状の第１のプラグ取り付け部が突設されたフレームと、
前記第１のプラグ取り付け部と対向するように前記フレーム本体の一側壁から外方向に着脱自在に突設された板状の第２のプラグ取り付け部と、
一端が、前記第１及び第２のプラグ取り付け部間に、所定の回転角度毎に係止可能に軸着され、他端が、前記第１及び第２のプラグ取り付け部間に、開閉自在に収容されるプラグ装着部材と、
前記プラグ装着部材内に全部又は一部が装着されたプラグ本体を有し、前記プラグ本体に接続されたリード線が前記プラグ装着部材から引き出されて前記部品収納空間内に引き込まれた電子回路用プラグと、
を備えたことを特徴とするプラグ付き電子機器収納ケース。
【請求項２】
フレームと、補助フレームと、プラグ装着部材と、弾性部材と、電子回路用プラグとを備え、
前記フレームは、側壁によりほぼ矩形状に囲まれた電子機器部品収納用の部品収納空間内に電子機器部品取り付け用の部品取り付け部が形成されたフレーム本体と、前記フレーム本体における前記側壁の内の一側面に位置する所定の側壁の上端又は下端から外方向に突設された板状の第１のプラグ取り付け部と、前記所定の側壁の下端又は上端に形成された切り欠き部と、前記第１のプラグ取り付け部の内面の一端側に形成された軸受け凹部と、前記軸受け凹部の外周に所定の回転角間隔で形成された複数の係合凹部とを有し、
前記補助フレームは、前記所定の側壁の外面に着脱自在に嵌合された壁部と、前記壁部の下端又は上端から外方向に突設され、前記第１のプラグ取り付け部に対向する板状の第２のプラグ取り付け部と、前記第２のプラグ取り付け部の外面において前記切り欠き部と連通する位置に形成された凹状の配線通路と、前記第２のプラグ取り付け部の内面において前記配線通路と連通し且つ前記軸受け凹部に対向する位置に突設された筒状の第１の軸部とを有し、
前記プラグ装着部材は、一端が閉塞され、他端が開口された筒状のプラグ装着部と、前記プラグ装着部の一端側の下面に突設され、前記軸受け凹部に回転自在に挿着された第２の軸部と、前記プラグ装着部の一端側の上面に形成され、前記第１の軸部を回転自在に受け入れる軸受け開口部とを有し、
前記弾性部材は、前記第２の軸部に装着され、弾性力により前記係合凹部側に圧接されて前記係合凹部に係合する係合凸部を有し、
前記電子回路用プラグは、前記プラグ装着部内に全体又は一部が装着されたプラグ本体と、一端が前記プラグ本体に接続され、他端が前記軸受け開口部、前記第１の軸部の貫通孔、前記配線通路、及び前記切り欠き部を通して前記部品収納空間内に引き込まれたリード線と、前記リード線の他端に接続された端子とを有することを特徴とするプラグ付き電子機器収納ケース。
【請求項３】
請求項２記載のプラグ付き電子機器収納ケースにおいて、
前記複数の係合凹部と前記係合凸部との間に係合補強部材を設けたことを特徴とするプラグ付き電子機器収納ケース。
【請求項４】
前記弾性部材は、ばね部材により構成され、前記端子は、コネクタにより構成されていることを特徴とする請求項２又は３記載のプラグ付き電子機器収納ケース。
【請求項５】
前記プラグ装着部の一端側の外側面に、回転補助用の凹凸部が形成されていることを特徴とする請求項２〜４のいずれか１項に記載のプラグ付き電子機器収納ケース。
【請求項６】
請求項１記載のプラグ付き電子機器収納ケースと、
前記リード線に接続された電子機器部品が搭載され、前記部品収納空間内に固定された基板と、
を備えたことを特徴とするプラグ付き電子機器。
【請求項７】
請求項２〜５のいずれか１項に記載のプラグ付き電子機器収納ケースと、
前記端子又前記コネクタに接続された電子機器部品が搭載され、前記部品取り付け部に固定された基板と、
前記フレーム本体の開口部分に装着され、前記部品収納空間を閉塞するカバーと、
を備えたことを特徴とするプラグ付き電子機器。
【発明の詳細な説明】
【技術分野】
【０００１】
本発明は、パーソナルコンピュータ（以下「ＰＣ」という。）等に取り付けられたＵＳＢコネクタ、ＩＥＥＥ１３９４コネクタ等の電子回路用コネクタに接続して使用する無線通信機能を有する無線ＬＡＮカードや、外付け用半導体記憶装置であるメモリカード等の電子機器を収納するためのプラグ付き電子機器収納ケース、及びそれらの電子機器が収納されたプラグ付き電子機器に関するものである。
【背景技術】
【０００２】
従来、このような分野に属する技術としては、例えば、次のような文献に記載されるものがあった。
【０００３】
【特許文献１】特開２０００−２７７２０１号公報
【特許文献２】特開２０００−３２４２１４号公報
【特許文献３】特開２００１−３４３６７号公報
【特許文献４】特開２００２−１１０２８２号公報
【特許文献５】特開２００２−３５１８０７号公報
【０００４】
特許文献１の図４とこの説明文、特許文献２の図１とこの説明文、及び特許文献４の図１とこの説明文には、電気機器或いは電子機器を収納するケースに、電源電力供給用の電源プラグを折り畳み可能に取り付けた技術が記載されている。
【０００５】
特許文献３の図１とこの説明文には、ＰＣと携帯電話機とをＵＳＢケーブルにより接続し、ＰＣから携帯電話機へ電源電力を供給すると共に、ＰＣと携帯電話機との間でデータ伝送を行うための接続装置の技術が記載されている。
【０００６】
又、特許文献５の図１、図２等とこれらの説明文には、ＰＣの収納ケースに設けられたスロットに挿入して使用するための、無線通信機能を有する無線ＬＡＮカード等のカード型電子部品の技術が記載されている。
【０００７】
従来、無線ＬＡＮカード等の電子機器をＰＣ側等に接続する場合は、特許文献５に記載されているように予めＰＣ側等にそれらの挿入用のスロットを設けておくか、或いは、特許文献３に記載されているように予めＰＣ側等にＵＳＢケーブル対応のＵＳＢコネクタや、ＩＥＥＥ１３９４ケーブル対応のＩＥＥＥ１３９４コネクタ等の電子回路用コネクタを設けておき、無線ＬＡＮカード等の電子機器をそれらのスロットに挿入したり、或いは、それらの電子機器をＵＳＢケーブル、ＩＥＥＥ１３９４ケーブル等を介してＰＣ側等に接続するようにしている。
【発明の開示】
【発明が解決しようとする課題】
【０００８】
しかしながら、従来の無線ＬＡＮカード、メモリカード等の電子機器では、これらをＰＣ側等に接続する場合には、予めＰＣ側等にスロットを設けておかなければならず、不利不便であった。又、スロットに代えてＵＳＢコネクタ、ＩＥＥＥ１３９４コネクタ等の電子回路用コネクタがＰＣ側に設けられている場合は、それらの電子機器をＵＳＢケーブル、ＩＥＥＥ１３９４ケーブル等を介してＰＣ側等に接続しなければならず、ケーブルの使用や保管等が面倒であり、使い勝手が悪いという課題があった。
【０００９】
これらの課題を解決するために、例えば、特許文献１、２、４に記載された折り畳み可能な電源プラグを電子機器に取り付け、使用時にその電源プラグを引き出してＰＣ側等のコンセントに挿入し、ＰＣ側等から電子機器へ電源電力を供給することも可能である。これにより、電源ケーブルの引き回しが不要になって電源配線を簡素化できる。特に、電子機器に使用される電源ケーブルは、通常、＋側配線及び−側配線の２本で構成されているので、電子機器内部から電源プラグまでの配線の引き回しが比較的容易に行える。しかし、電子機器とＰＣ側等との信号伝送のためには、両者を複数の信号線からなる信号伝送ケーブルで接続しなければならず、依然として使い勝手が悪い。そこで、信号伝送ケーブルに代えて電子回路用プラグを用い、電子機器とＰＣ等とを直接接続することも考えられるが、信号伝送ケーブルは電源ケーブルに比べて配線数が多いことから、配線接続構造が複雑になって電子機器の小型化、構造の簡単化、製造の容易化、及び低コスト化が困難であるという問題が生じる。
【００１０】
本発明は、前記従来技術が持っていた課題を解決し、ＵＳＢケーブル、ＩＥＥＥ１３９４ケーブル等の信号伝送用ケーブルを不要にして直接、ＰＣ側等に設けられたＵＳＢコネクタ、ＩＥＥＥ１３９４コネクタ等の電子回路用コネクタに挿着でき、小型化、構造の簡単化、製造の容易化、及び低コスト化が可能なプラグ付き電子機器収納ケースと、これを用いたプラグ付き電子機器を提供することを目的とする。
【課題を解決するための手段】
【００１１】
前記課題を解決するために、本発明のプラグ付き電子機器収納ケースでは、電子機器部品収納用の部品収納空間を有するフレーム本体の一側壁から外方向に、板状の第１のプラグ取り付け部が突設されたフレームと、前記第１のプラグ取り付け部と対向するように前記フレーム本体の一側壁から外方向に着脱自在に突設された板状の第２のプラグ取り付け部と、一端が、前記第１及び第２のプラグ取り付け部間に、所定の回転角度毎に係止可能に軸着され、他端が、前記第１及び第２のプラグ取り付け部間に、開閉自在に収容されるプラグ装着部材と、前記プラグ装着部材内に全部又は一部が装着されたプラグ本体を有し、前記プラグ本体に接続されたリード線が前記プラグ装着部材から引き出されて前記部品収納空間内に引き込まれた電子回路用プラグと、を備えている。
【００１２】
本発明のプラグ付き電子機器では、前記プラグ付き電子機器収納ケースと、前記リード線に接続された電子機器部品が搭載され、前記部品収納空間内に固定された基板と、を備えている。
【発明の効果】
【００１３】
請求項１〜５に係る発明によれば、次の（１）〜（４）のような効果がある。
【００１４】
（１）  プラグが装着されたプラグ装着部材を所定の回転角度毎に係止できるので、開いたプラグ装着部材を所望の回転角度に保持でき、使い勝手が良い。しかも、プラグをフレーム内に収納できるので、保管や携帯等に便利である。
【００１５】
（２）  フレームの第１のプラグ取り付け部に対して第２のプラグ取り付け部を着脱自在に取り付けてプラグ装着部材を開閉自在に軸着するので、組み立てが容易であり、しかも電子機器収納ケースを薄型化できる。
【００１６】
（３）  部品収納空間内に種々の電子機器部品を収納できる。しかも、プラグと部品収納空間とが分離されているので、部品収納空間の内壁面に導電性膜等を被着する等すれば、簡単に部品収納空間を外部から電気的或いは磁気的に遮断できる。
【００１７】
（４）  プラグ本体に接続されたリード線が、プラグ装着部材から引き出されて部品収納空間内に引き込まれているので、部品収納空間内に収納される電子機器部品とリード線との結線作業が容易になる。
【００１８】
請求項６、７に係る発明によれば、次の（ａ）、（ｂ）のような効果がある。
【００１９】
（ａ）  電子機器部品が収納されたフレームに、電子回路用プラグが開閉自在に軸着されているので、使用時においてプラグを開いてＰＣ等のコネクタに挿入するだけで、本発明の電子機器を簡単にＰＣ等に接続できる。特に、電子機器が無線ＬＡＮカード等であって、電波の送受信方向を変える必要がある場合には、プラグが装着されたプラグ装着部材を所定の回転角度毎に係止できるので電波の送受信を最適状態に簡単に設定できる。本発明の電子機器を使用しない場合には、プラグをフレーム内に収納でき、保管や携帯等に便利である。
【００２０】
（ｂ）  リード線の端末部が部品収納空間内に引き込まれているので、部品収納空間内に基板を固定し、この基板とリード線とを接続するだけで、電子機器の組み立て及び結線作業が終了する。そのため、電子機器の製造が簡単で、低コスト化が可能になる。
【発明を実施するための最良の形態】
【００２１】
本発明におけるプラグ付き電子機器収納ケースでは、フレームと、補助フレームと、プラグ装着部材と、弾性部材と、電子回路用プラグとを備えている。
【００２２】
前記フレームは、側壁によりほぼ矩形状に囲まれた電子機器部品収納用の部品収納空間内に電子機器部品取り付け用の部品取り付け部が形成されたフレーム本体と、前記フレーム本体における前記側壁の内の一側面に位置する所定の側壁の上端又は下端から外方向に突設された板状の第１のプラグ取り付け部と、前記所定の側壁の下端又は上端に形成された切り欠き部と、前記第１のプラグ取り付け部の内面の一端側に形成された軸受け凹部と、前記軸受け凹部の外周に所定の回転角間隔で形成された複数の係合凹部とを有している。前記補助フレームは、前記所定の側壁の外面に着脱自在に嵌合された壁部と、前記壁部の下端又は上端から外方向に突設され、前記第１のプラグ取り付け部に対向する板状の第２のプラグ取り付け部と、前記第２のプラグ取り付け部の外面において前記切り欠き部と連通する位置に形成された凹状の配線通路と、前記第２のプラグ取り付け部の内面において前記配線通路と連通し且つ前記軸受け凹部に対向する位置に突設された筒状の第１の軸部とを有している。
【００２３】
前記プラグ装着部材は、一端が閉塞され、他端が開口された筒状のプラグ装着部と、前記プラグ装着部の一端側の下面に突設され、前記軸受け凹部に回転自在に挿着された第２の軸部と、前記プラグ装着部の一端側の上面に形成され、前記第１の軸部を回転自在に受け入れる軸受け開口部とを有している。前記弾性部材は、前記第２の軸部に装着され、弾性力により前記係合凹部側に圧接されて前記係合凹部に係合する係合凸部を有している。更に、前記電子回路用プラグは、前記プラグ装着部内に全体又は一部が装着されたプラグ本体と、一端が前記プラグ本体に接続され、他端が前記軸受け開口部、前記第１の軸部の貫通孔、前記配線通路、及び前記切り欠き部を通して前記部品収納空間内に引き込まれたリード線と、前記リード線の他端に接続された端子とを有している。
【００２４】
本発明のプラグ付き電子機器では、前記プラグ付き電子機器収納ケースと、前記端子又前記コネクタに接続された電子機器部品が搭載され、前記部品取り付け部に固定された基板と、前記フレーム本体の開口部分に装着され、前記部品収納空間を閉塞するカバーと、を備えている。
【実施例１】
【００２５】
（構成）
図１（１）〜（４−３）は、本発明の実施例１を示すプラグ付き電子機器の構成図であり、同図（１）は全体の平面図、同図（２−１）は同図（１）の背面図、同図（２−２）は同図（２−１）の左側面の部分図、同図（２−３）は同図（１）の底面の一部を切り欠いたときの部分図、同図（３−１）は同図（１）の平面の一部を切り欠いたときの部分図、同図（３−２）は同図（３−１）の左側面図、同図（３−３）は同図（３−１）の右側面図、同図（４−１）は同図（１）の補助フレームを取り外したときの平面図、同図（４−２）は同図（４−１）の左側面図、及び同図（４−３）は同図（１）中の補助フレームの右側面図である。
【００２６】
図２（１）〜（５）は、図１中のフレームを示す構成図であり、同図（１）はフレームの平面図、同図（２）は同図（１）の右側面図、同図（３）は同図（１）中のＡ−Ａ線断面図、同図（４）は同図（１）の背面図、及び同図（５）は同図（１）中のＢ−Ｂ線断面図である。
【００２７】
図３（１）〜（５）は、図１中の補助フレームを示す構成図であり、同図（１）は補助フレームの平面図、同図（２）は同図（１）の正面図、同図（３）は同図（１）の底面図、同図（４）は同図（１）の右側面図、及び同図（５）は同図（１）中のＡ−Ａ線断面図である。
【００２８】
図４（１）〜（９）は、図１中のプラグ装着部材を示す構成図であり、同図（１）はプラグ装着部材の平面図、同図（２）は同図（１）の左側面図、同図（３）は同図（１）中のＣ−Ｃ線断面図、同図（４）は同図（１）の右側面図、同図（５）は同図（１）の背面図、同図（６）は同図（１）中のＡ−Ａ線断面図、同図（７）は同図（５）の右側面図、同図（８）は同図（５）中のＢ−Ｂ線断面図、及び同図（９）は同図（１）の底面図である。
【００２９】
図５（１）〜（３）は、図１中の係合補強部材及びばね部材を示す構成図であり、同図（１）は係合補強部材の平面図、同図（２）はばね部材の平面図、及び同図（３）は同図（１）、（２）の正面図である。
【００３０】
このプラグ付き電子機器は、電子機器部品を収納するプラスチック製等のフレーム１０と、前記フレーム１０に装着される金属製等の係合補強部材１９と、前記フレーム１０に装着されてこのフレーム１０と共にプラグ収納部を形成するプラスチック製等の補助フレーム２０と、前記プラグ収納部に所定角度回転自在に収納されるプラスチック製等のプラグ装着部材３０と、前記プラグ装着部材３０の回転角度を規制する弾性部材（例えば、プラスチック製、金属製等のばね部材）４０と、前記プラグ装着部材３０に装着されるＵＳＢプラグ、ＩＥＥＥ１３９４プラグ等の電子回路用プラグ５０と、無線ＬＡＮカード、メモリカード等のカード型電子機器部品６０が搭載され、前記フレーム１０内に固定された基板（例えば、印刷配線板）６１と、前記電子機器部品６０を保護するプラスチック製、金属製等のカバー６２，６３とにより構成されている。
【００３１】
フレーム１０は、側壁１１ａ，１１ｂ，１１ｃ，１１ｄによりほぼ矩形状に囲まれたフレーム本体１１を有し、このフレーム本体１１内に、電子機器部品収納用の部品収納空間１２が形成されている。フレーム本体１１を構成する側壁１１ａ，１１ｃの内面には、電子機器部品取り付け用の複数の部品取り付け部１３が延設され、これらの部品取り付け部１３が部品収納空間１２内に突出している。フレーム本体１１を構成するほぼ矩形状の側壁１１ａ，１１ｂ，１１ｃ，１１ｄの内の一側面に位置する所定の側壁１１ｂの外面には、補助フレーム２０を着脱自在に嵌合するための断面台形状の複数の嵌合溝１４が上下方向に形成されている。側壁１１ｂの上端（又は下端）の一部には、リード線を通すための切り欠き部１５が形成されている。側壁１１ｂの下端（又は上端）には、外方向に突出する板状の第１のプラグ取り付け部１６が延設されている。プラグ取り付け部１６の内面の一端側には、平面円形の軸受け凹部１７が形成され、更に、この軸受け凹部１７の外周に、所定の回転角度（例えば、３０°）間隔で複数（例えば、１２個）の断面半円形の係合凹部１８が形成されている。１２個の係合凹部１８の内、例えば、９０°間隔で配置された４個の係合凹部１８ａは穴の深さが深く、残りの８個の係合凹部１８ｂは穴の深さが浅くなっている。
【００３２】
軸受け凹部１７内には、ほぼドーナツ板状の係合補強部材１９が装着されている。係合補強部材１９は、係合凹部１８の摩耗を防止するものであり、穴の深い４個の係合凹部１８ａに対応した口径の大きな４個の切り欠き部１９ａと、穴の浅い８個の切り欠き部１９ｂとが、同一円周上に形成されている。なお、係合凹部１８の機械的強度が大きいときには、係合補強部材１９を省略しても良い。
【００３３】
フレーム１０側の側壁１１ｂの外面には、補助フレーム２０が着脱自在に嵌合されている。この補助フレーム２０は、フレーム１０側の側壁１１ｂの外面に接触する壁部２１を有している。壁部２１の外面には、側壁１１ｂ側の複数の嵌合溝１４に対して着脱自在に嵌合するための断面逆台形状の複数の嵌合突起２２が突設されている。更に、壁部２１の上端（又は、下端）には、外方向に突出する板状の第２のプラグ取り付け部２３が延設され、このプラグ取り付け部２３がフレーム１０側のプラグ取り付け部１６に対峙している。プラグ取り付け部２３の外面において、フレーム１０側の切り欠き部１５と連通する位置に、凹状の配線通路２４が形成されている。プラグ取り付け部２３の内面において、フレーム１０側の軸受け凹部１７に対向する位置には、貫通孔２５ａを有する円筒状の第１の軸部２５が突設されている。
【００３４】
フレーム２０側の軸受け凹部１７と補助フレーム２０側の軸部２５との間には、プラグ装着部材３０が所定角度（例えば、１８０°）回転自在に取り付けられている。このプラグ装着部材３０は、一端が閉塞され、他端が開口されたほぼ角筒状のプラグ装着部３１を有している。プラグ装着部３１の一端側の下面には、対峙する一対のロッド部材３２ａ，３２ｂからなる第２の軸部３２が突設され、この軸部３２が、フレーム１０側の軸受け凹部１７に回転自在に装着されている。軸部３２を構成する一対のロッド部材３２ａ，３２ｂ間には、貫通孔３３が形成されている。プラグ装着部３１の一端側の上面には、円形の軸受け開口部３４が形成され、この軸受け開口部３４内に補助フレーム２０側の第１の軸部２５が回転自在に挿着されている。プラグ装着部３１の他端側の上面及び下面には、係合孔３５，３６が形成されている。又、プラグ装着部３１の一端側の外側面は、平面が半円形をなし、この外側面に回転補助用の凹凸部３７が形成されている。
【００３５】
プラグ装着部材３０側の第２の軸部３２には、ほぼ円板状のばね部材４０が装着されている。ばね部材４０の中央には、一対のロッド部材３２ａ，３２ｂを受け入れるための一対の取り付け孔４１，４２が形成され、この各取り付け孔４１，４２の一端に、外縁まで達するスリット４３，４４が形成されている。各スリット４３，４４の近傍の底面（下面）側には、一対の係合凸部４５，４６が突設されている。係合凸部４５，４６は、軸部３２の基部により押圧され、弾性力により下方向に付勢されて、係合補強部材１９の切り欠き部１９ａ，１９ｂとフレーム２０側の係合凹部１８とに係合し、プラグ装着部材３０の回転時にこれを回転角度３０°毎に係止する機能を有している。
【００３６】
プラグ装着部材３０内には、電子回路用プラグ５０が装着されている。プラグ５０は、角形のプラグ本体５１を有し、このプラグ本体５１の先端側開口部内に複数のコンタクトが設けられている。プラグ本体５１の上面及び下面には、プラグ装着部材３０側の係合孔３５，３６に嵌入するための係合突起５２，５３がそれぞれ設けられている。プラグ本体５１は、プラグ装着部３１内に挿着され、そのプラグ本体５１の先端側がプラグ装着部３１から突出している。プラグ本体５１には、絶縁被覆された複数本のリード線５４が接続され、このリード線５４の端末部が、プラグ装着部３０側の軸受け開口部３４、補助フレーム２０側の貫通孔２５ａ、配線通路２４、及びフレーム１０側の切り欠き部１５を通して部品収納空間１２内に引き込まれている。リード線５４の端末部には、端子（例えば、印刷配線板用コネクタ）５５が接続されている。
【００３７】
部品収納空間１２内における部品取り付け部１３上には、電子機器部品６０が搭載された印刷配線板６１が載置され、螺子等で固定されている。フレーム１０及び補助フレーム２０の平面（表面）及び底面（裏面）には、カバー６２，６３が固着され、部品収納空間１２が閉塞されている。
【００３８】
（製造方法例）
本実施例１のプラグ付き電子機器の製造方法の一例を説明する。
【００３９】
予め、プラグ装着部材３０とリード線５４付きの電子回路用プラグ５０とを製造しておく。プラグ装着部３１の他端側の開口箇所へリード線５４の端末部を挿入して軸受け開口部３４から引き出すと共に、プラグ本体５１をプラグ装着部３１の開口箇所へ圧入すると、プラグ本体５１側の係合突起５２，５３がプラグ装着部３１側の係合孔３５，３６に嵌入し、該プラグ本体５１がプラグ装着部３１に固定される。なお、他の製造方法例として、リード線５４付きのプラグ本体５１を金型にセットし、この金型に溶融した樹脂を流し込んでインサート成型によりプラグ装着部材３０を製造しても良い。
【００４０】
プラグ５０が装着されたプラグ装着部材３０の軸部３２に、ばね部材４０の取り付け孔４１，４２を嵌め込む。係合補強部材１９側の切り欠き部１９ａをフレーム１０側の係合凹部１８ａに対向させると共に、きり欠き部１９ｂを係合凹部１８ｂに対向させ、該係合補強部材１９を係合凹部１８側に挿着する。そして、プラグ装着部材３０側の軸部３２を、係合補強部材１９に貫通させてフレーム１０側の軸受け凹部１７に挿着する。プラグ装着部材３０側の軸受け開口部３４から引き出されたリード線５４の端末部を、補助フレーム２０側の貫通孔２５ａに貫通させる。次に、補助フレーム２０側の壁部２１に形成された嵌合突起２２を、フレーム１０側の嵌合溝１４に嵌入すると共に、補助フレーム２０側の軸部２５を、プラグ装着部材３０側の軸受け開口部３４に挿着する。
【００４１】
補助フレーム２０側の貫通孔２５ａから引き出されたリード線５４の端末部に、コネクタ５５を取り付ける。更に、電子機器部品６０を搭載した印刷配線板６１を、フレーム１０側の部品取り付け部１３上に載置し、螺子等で印刷配線板６１を固定すると共に、リード線５４の端末部に取り付けたコネクタ５５をその印刷配線板６１に接続する。その後、貫通孔２５ａからコネクタ５５までのリード線箇所を、補助フレーム２０側の配線通路２４、及びフレーム１０側の切り欠き部１５内に収容し、フレーム１０及び補助フレーム２０の全平面（全表面）及び全底面（全裏面）にカバー６２，６３を被着すれば、部品収納空間１２がカバー６２，６３で閉塞され、プラグ付き電子機器の製造が終了する。
【００４２】
（動作）
プラグ付き電子機器を使用するときには、例えば、プラグ装着部材３０の一端側の凹凸部３７を親指等で回転させて、他端側のプラグ５０の先端をプラグ取り付け部１６，２３から露出させる。プラグ装着部材３０側の軸部３２及び軸受け開口部３４を支点として、露出したプラグ５０の先端を指等で回転させれば、ばね部材４０側の係合凸部４５，４６が係合補強部材１９側の切り欠き部１９ａ，１９ｂ及びフレーム１０側の係合凹部１８ａ，１８ｂに係合しつつ、該プラグ５０の先端が回転角度３０°間隔で所望の角度（例えば、穴の深い係合凹部１８ａ箇所の９０°又は１８０°）まで開く。その後、ＰＣ等に設けられたコネクタに、プラグ５０の先端を挿入すれば、ＰＣ等と電子機器内の電子機器部品６０とが電気的に接続され、所定の動作が行われる。この際、ＰＣ等に設けられたコネクタを支点にして、指等でフレーム１０を回転角度３０°間隔で回転させれば、フレーム１０を所望の方向（例えば、回転角度９０°又は１８０°）に変えることができる。
【００４３】
プラグ付き電子機器を使用しないときには、プラグ５０の先端をコネクタから引き抜き、プラグ装着部材３０側の軸部３２及び軸受け開口部３４を支点として、プラグ５０の先端をプラグ取り付け部１５，２３側に押し込めば、ばね部材４０側の係合凸部４５，４６が係合補強部材１９側の切り欠き部１９ａ及びフレーム１０側の係合凹部１８ａに係止し、該プラグ５０の先端がプラグ取り付け部１６，２３間に収納される。
【００４４】
（効果）
本実施例１では、次の（Ｉ）〜（ＩＶ）のような効果がある。
【００４５】
（Ｉ）  電子機器部品６０が収納されたフレーム１０に、電子回路用プラグ５０が開閉自在に軸着されているので、使用時においてプラグ５０を開いてＰＣ等のコネクタに挿入するだけで、本実施例１の電子機器を簡単にＰＣ等に接続できる。特に、無線ＬＡＮカード等であって、電波の送受信方向を変える必要がある場合には、プラグ５０が装着されたプラグ装着部材３０を回転角度３０°間隔で回転できるので、電波の送受信を最適状態に簡単に設定できる。本実施例１の電子機器を使用しない場合には、プラグ５０をフレーム１０内に収納でき、保管や携帯等に便利である。
【００４６】
（ＩＩ）  フレーム１０の側壁１１ｂに対して補助フレーム２０の壁部２１を嵌合してプラグ装着部材３０を開閉可能に軸着するので、組み立てが容易であり、しかも電子機器全体を薄型化できる。
【００４７】
（ＩＩＩ）  電子機器部品６０としては、無線ＬＡＮカード、メモリカード等の種々の部品を実装できる。プラグ５０側と部品収納空間１２側とが、側壁１１ａ及び側部２１により分離されているので、部品収納空間１２を外部から電気的或いは磁気的に遮断する必要がある場合には、その部品収納空間１２の内壁面に導電性膜等を被着する等すれば、不要電波の放射や侵入等を容易に阻止できる。
【００４８】
（ＩＶ）  プラグ本体５１に接続されたリード線５４の端末部が、プラグ装着部材３０側の軸受け開口部３４、補助フレーム２０側の貫通孔２５ａ、配線通路２４、及びフレーム１０側の切り欠き部１５を通して部品収納空間１２内に引き込まれているので、部品取り付け部１３上に印刷配線板６１を螺子等で固定し、この印刷配線板６１とリード線５４の端末部側のコネクタ５５とを接続するだけで、電子機器の組み立て及び結線作業が終了する。そのため、電子機器の製造が簡単で、低コスト化が可能になる。
【実施例２】
【００４９】
本発明は、上記実施例１に限定されず、更に他の変形が可能である。この変形例である実施例２としては、例えば、次の（ｉ）〜（ｉｖ）のようなものがある。
【００５０】
（ｉ）  フレーム１０、補助フレーム２０、プラグ装着部材３０、及びプラグ５０は、図示以外の形状、構造、材料等に変更しても良い。例えば、フレーム１０及び補助フレーム２０は、平面が円形等の他の形状にしても良い。フレーム１０と補助フレーム２０とを嵌合するための嵌合溝１４及び嵌合突起２２は、これらを互いに反対側に形成したり、或いは、それらの嵌合溝１４及び嵌合突起２２を側壁１１ｂ及び壁部２１の長手方向に沿って形成しても良い。又、プラグ５０は、円形プラグ等にし、これに応じてプラグ装着部材３０の形状を変更しても良い。
【００５１】
（ｉｉ）  プラグ装着部材３０の回転構造は、図示以外の構造にしても良い。例えば、軸受け凹部１７、軸部２５，３２、及び軸受け開口部３４に代えて、プラグ装着部材３０に貫通孔を形成しておき、この貫通孔に筒状の軸を回転自在に挿着し、この軸の両端をプラグ取り付け部１６，２３側にて固定する構造にしても良い。
【００５２】
（ｉｉｉ）  プラグ装着部材３０は、回転角度３０°毎に係止する構造になっているが、各係合凹部１８ａ，１８ｂ及び切り欠き部１９ａ，１９ｂの数や配置間隔等を変えることにより、その回転角度を１５°等の他の角度に変更しても良い。又、複数の係合凹部１８ａ，１８ｂ及び切り欠き部１９ａ，１９ｂに代えて、前記筒状の軸の外周に複数の係合溝を形成するか、或いは前記筒状の軸に取り付けた円板の外周に複数の係合溝を形成しておき、この各係合溝に弾力的に係合するばね部材等の弾性部材をプラグ装着部材３０側に取り付け、このプラグ装着部材３０を所定の回転角度毎に係止する構造等に変更しても良い。
【００５３】
（ｉｖ）  プラグ装着部材３０の一端に形成される回転補助用の凹凸部３５は、突起等の摘み形状に変更しても良い。又、印刷配線板６０を固定するための部品取り付け部１３は、部品収納空間１２の形状等に応じて任意の位置に設けることができる。
【図面の簡単な説明】
【００５４】
【図１】本発明の実施例１を示すプラグ付き電子機器の構成図である。
【図２】図１中のフレームを示す構成図である。
【図３】図１中の補助フレームを示す構成図である。
【図４】図１中のプラグ装着部材を示す構成図である。
【図５】図１中の係合補強部材及びばね部材を示す構成図である。
【符号の説明】
【００５５】
１０    フレーム
１１    フレーム本体
１１ａ，１１ｂ，１１ｃ，１１ｄ    側壁
１２    部品収納空間
１３    部品取り付け部
１４    嵌合溝
１５    切り欠き部
１６，２３    プラグ取り付け部
１７    軸受け凹部
１８    係合凹部
１９    係合補強部材
２０    補助フレーム
２１    壁部
２２    嵌合突起
２４    配線通路
２５，３２    軸部
３０    プラグ装着部材
３４    軸受け開口部
３７    凹凸部
４０    ばね部材
４５，４６    係合凸部
５０    プラグ
５１    プラグ本体
５４    リード線
５５    コネクタ
【図１】
2005217190.tif 000003
【図２】
2005217190.tif 000004
【図３】
2005217190.tif 000005
【図４】
2005217190.tif 000006
【図５】
2005217190.tif 000007